(57)【要約】【課題】画像読取装置を構成する反射ミラーに付着した塵埃を効率的に除去することができ、さらに照明装置および原稿台周辺の温度上昇を防止する。【解決手段】原稿台１５１上の原稿台１５１を照明する照明装置１２６と、第１走行体１６０に配置され原稿Ｄからの反射光を反射する第１ミラー１６１、第２走行体１７０に配置され第２ミラー１７１および第３ミラー１７２と、結像光学系１２７と、第１排気口１８１と、第２排気口１８２と、シャッター１８３とを備える空気ダクト１８０と、シャッター１８３を切り替えて「第１ミラー清掃モード」、「第２ミラーおよび第３ミラー清掃モード」および、照明装置１２６および原稿台１５１の周辺の温度上昇を抑制する「冷却モード」、のいずれかのモードに切り替えるモード切替手段１９４を備える。【選択図】図２
2014206594.tif 000002
【特許請求の範囲】
【請求項１】
原稿台に置かれた原稿を照明する照明装置と、前記原稿からの反射光を反射する少なくとも１つのミラーを備える反射光学系と、前記反射光学系からの反射光を光電変換素子に結像させる結像光学系と、を備える画像読取装置において、
空気流を噴出する空気ダクトと、
前記空気ダクトから噴出する空気流の風圧、風量ならびに噴射方向を制御し、前記反射光学系の前記ミラーに向けて前記ミラーに付着した塵埃を除去する空気流を噴出する清掃モード、および前記照明装置、ならびに前記原稿台の周辺に向けて前記照明装置および前記原稿台の周辺の温度上昇を防止する、前記清掃モードより低い圧力の空気流を噴出する冷却モード、のいずれかのモードに切り替えるモード切替手段と、
を備えることを特徴とする画像読取装置。
【請求項２】
前記反射光学系は、第１走行体に配置され、前記原稿からの反射光を反射する第１ミラーと、第２走行体に配置され前記第１ミラーからの光を反射する第２ミラーと、前記第２走行体に配置され前記第２ミラーからの光を前記結像光学系に向け反射する第３ミラーとを備え、
前記空気ダクトは、空気の噴射方向を変更するシャッターを備え、
前記モード切替手段は、前記シャッターを駆動して、前記第１ミラー、前記第２ミラーおよび前記第３ミラーの方向に空気を吹き出す第１状態、前記第１ミラーの方向に空気を吹き出す第２状態、前記第２ミラーおよび前記第３ミラーの方向に吹き出す第３状態に変更することを特徴とする請求項１に記載の画像読取装置。
【請求項３】
前記モード切替手段は、前記空気ダクトを制御して、前記第１状態、および前記第２状態においてダクトより吹き出す気流の風圧および風量を前記第１状態のときの２倍とし、前記第３状態では前記照明装置、および前記原稿台の周辺を冷却する前記冷却モードを実現し、
前記第１状態および前記第２状態では前記第１ミラー、前記第２ミラー、および前記第３ミラーのそれぞれに付着した塵埃のを除去する前記清掃モードを実現することを特徴とすることを特徴とする請求項２に記載の画像読取装置。
【請求項４】
前記モード切替手段は、画像読取装置の起動時は、前記第１状態とし、ついで前記第２状態として、ホームポジションに位置する前記第１走行体の前記第１ミラー、前記第２走行体の前記第２ミラー、前記第３ミラーを清掃することを特徴とする請求項３に記載の画像読取装置。
【請求項５】
前記第１走行体、前記第２走行体それぞれがホームポジションに待機し、原稿搬送装置で送られた前記原稿を読み取るシートスルー読み取り時は、前記空気ダクトの前記シャッターの位置を前記第１状態とできることを特徴とする請求項４に記載の画像読取装置。
【請求項６】
前記空気ダクトは、本体気流用ダクトからの空気流を導いていることを特徴とする請求項１から請求項５のいずれか一項に記載の画像読取装置。
【請求項７】
前記モード切替手段は、外部からの操作によりシャッター位置を変更して指定したミラーを清掃するサービスモードを備えることを特徴とする請求項１から請求項６のいずれか一項に記載の画像読取装置。
【請求項８】
前記光電変換素子を監視して異常画像を検出したとき異常信号を発生する画像異常検出手段を備え、
前記モード切替手段は、前記空気ダクトを制御して前記異常信号をうけ、前記第１走行体および前記第２走行体がホームポジションに待機しているとき前記第１ミラー、前記第２ミラー、および前記第３ミラーを清掃する前記清掃モードとすることを特徴とする請求項２から請求項７のいずれか一項に記載の画像読取装置。
【請求項９】
請求項１から請求項８のいずれか一項に記載の画像読取装置と、読み取った画像に基づいて記録媒体に画像を形成する画像形成手段とを備えることを特徴とする画像形成装置。
【発明の詳細な説明】
【技術分野】
【０００１】
本発明は、原稿の画像を読み取る画像読取装置、およびこの画像読取装置を備える複写機、プリンタ、およびファクシミリ等の画像読取装置に関する。
【背景技術】
【０００２】
画像読取装置として、原稿台に配置された原稿の画像情報を読み取るに際して、走行体に搭載した照明装置からの走査光を照射し、得られた原稿の反射光を光電変換素子に結像させるフラットベッド方式で読み取りを行うものがある。このような画像読取装置は、照明装置を搭載した走行体をホームポジションに待機させた状態で、その真上を原稿自動送り装置で原稿を移動させて原稿の画像情報を読み取るシートスルー方式での読み取りを実現できる機構を備えていることがある。
【０００３】
いずれ方式の読み取りの場合でも、原稿からの反射光は、第１走行体上に配置される第１ミラー、および第２走行体に配置される第２ミラー、第３ミラーの計３枚の反射ミラーからなる反射光学系で結像光学系まで導かれる。このような画像読取装置において、原稿反射光の光路を妨げるような塵埃が前記反射ミラーに付着した場合、付着した塵埃が光路の一部を遮断してしまうため、筋状の画像が読取画像に載ってしまうといった異常画像となる。
【０００４】
従来、反射ミラーに塵埃が付着してしまった場合、各反射ミラーの塵埃を取り除く清掃作業は、装置の製造工程の作業者、またはサービスマン等が原稿台を取り外して行う必要がある。この場合、原稿台を取り外す際、さらに異なる光学部材に塵埃が付着してしまうという二次的な塵埃の付着が起こってしまい、清掃作業工数が増加してしまうことがある。
【０００５】
また、画像読取装置の製造工程やサービスマンによるメンテナンス時に装置内に入り込んだ塵埃が、そのとき反射ミラー面に付着していない場合であっても、各走行体の走行時の気流や、装置内を冷却するための気流等により舞い上がり、装置稼働中に反射ミラーに付着することある。この場合にも異常画像となってしまい、画像品質面においても問題が発生する。
【０００６】
さらに、前述したシートスルー方式での読み取り時において、搬送される原稿に光を照射する。このため、照明装置を搭載している第１走行体は光源を駆動したままホームポジションにとどまっているため照明装置周りの温度が上昇してしまう。また、シートスルー読み取り時には原稿台の同一箇所を照射し続けるため原稿台周辺の温度が上昇してしまう。これに対して、走行体を走査させて原稿情報を読み取るフラットベッド読み取り時には走行体の移動による自己空冷効果が得られる。
【０００７】
このような課題を解消するために、特許文献１には、画像読取範囲外において、第１ミラー、第２ミラー、第３ミラーに風を吹きつける送風手段を設けることにより、各ミラーに付着した塵埃を除去し、かつ前述した送風手段は装置内を冷却する冷却ファンも兼ね備えているものが提案されている。
【発明の概要】
【発明が解決しようとする課題】
【０００８】
しかし、特許文献１に記載のものは、常に第１ミラー、第２ミラー、第３ミラーの全てに向けて風を吹きつけているため、塵埃を除去する際、塵埃が付着していないミラーにも風を吹きつけてしまう。このため、吹きつけ時の塵埃の舞上がりによりもともと塵埃が付着していないミラーに二次的に塵埃が付着してしまう。
【０００９】
また、送風手段がミラーの上側より吹きつけるという機構上、送風手段を画像読取範囲外に設置せざるを得ない。このため、シートスルー読み取り時に照明装置、および原稿台周りへ直接風を吹きつけることができないため、シートスルー読み取り時の照明装置、および原稿台周りの冷却効果が充分得られない。
【００１０】
さらに、前述したように、送風手段がミラーの上側より吹きつけるという機構上、送風手段を画像読取範囲外に設置せざる得ないため、装置の大型化、およびホームポジションより送風手段まで走行体を移動させるための制御が必要なため制御の複雑化する。
【００１１】
本発明は上記課題を解消するためのものであり、画像読取装置を構成する反射ミラーに付着した塵埃を効率的に除去することができ、さらに照明装置および原稿台周辺の温度上昇を防止できる画像読取装置を提供することを目的とする。
【課題を解決するための手段】
【００１２】
本発明に係る画像読取装置は、原稿台に置かれた原稿を照明する照明装置と、前記原稿からの反射光を反射する少なくとも１つのミラーを備える反射光学系と、前記反射光学系からの反射光を光電変換素子に結像させる結像光学系と、を備える画像読取装置において、空気流を噴出する空気ダクトと、前記空気ダクトから噴出する空気流の風圧、風量ならびに噴射方向を制御し、前記反射光学系の前記ミラーに向けて前記ミラーに付着した塵埃を除去する空気流を噴出する清掃モード、および前記照明装置、ならびに前記原稿台の周辺に向けて前記照明装置および前記原稿台の周辺の温度上昇を防止する、前記清掃モードより低い圧力の空気流を噴出する冷却モード、のいずれかのモードに切り替えるモード切替手段と、を備えることを特徴とする。
【発明の効果】
【００１３】
本発明によれば、モード切替手段により空気噴出装置の空気噴出モードを切り替えることで、画像読取装置を構成する反射ミラーに付着した塵埃を効率的に除去できるととともに、照明装置および原稿台周辺の温度上昇を効果的に防止できる。
【図面の簡単な説明】
【００１４】
【図１】本発明に係る画像形成装置の実施形態１に係る画像形成装置の概略構成を示す断面である。
【図２】本発明に係る画像読取装置の実施形態に係る画像読取装置の概略構成を示す断面図である。
【図３】図２に示した画像読取装置の「冷却モード」での空気流を示す模式図である。
【図４】図２に示した画像読取装置の「第１ミラー清掃モード」での空気流を示す模式図である。
【図５】図２に示した画像読取装置の「第２ミラーおよび第３ミラー清掃モード」での空気流を示す模式図である。
【図６】図２に示した画像読取装置のダクトに配置されたシャッターの例を示す断面図である。
【図７】図２に示した画像読取装置のダクトに配置されたシャッターの他の例を示す断面図である。
【図８】図２に示した画像読取装置のダクトに配置されたシャッターの他の例を示す断面図である。
【図９】図２の画像読取装置に備えるダクト用気流取り込み部の構成を示す模式図である。
【図１０】図２の画像読取装置の動作を示すフローチャートである。
【発明を実施するための形態】
【００１５】
以下本発明を実施するための形態に係る画像読取装置および画像形成装置について説明する。まず、本発明に係る画像形成装置の実施形態に係る画像形成装置について説明する。図１は本発明に係る画像形成装置の実施形態に係る画像形成装置の概略構成を示す断面である。実施形態１に係る画像形成装置１００は、実施形態に係る画像読取装置１５０を備える画像読取ユニット１１１、用紙に画像を形成する画像形成部１１２、原稿を自動的に画像読取ユニット１１１に搬送する自動原稿搬送装置１１３を備える。また画像形成装置１００は、自動原稿搬送装置１１３から送り出される原稿をスタックする原稿排紙トレイ１１４、給紙カセット１１５、１１６、１１７、１１８を備える給紙部１１９、画像形成がされた用紙Ｐをスタックする排紙トレイ１２０を備える。
【００１６】
自動原稿搬送装置１１３の原稿トレイ１２１上に原稿Ｄをセットして、図示せぬ操作部での操作、例えばプリントキーの押下操作をすると、最上位の原稿Ｄがピックアップローラ１２２の回転により矢印Ｂ１方向へ送り出される。原稿Ｄは、原稿搬送ベルト１２３の回転により、画像読取ユニット１１１に固定されたコンタクトガラス１２４上へおくられ、そこで停止する。コンタクトガラス１２４上に配置された原稿Ｄの画像は、画像形成部１１２とコンタクトガラス１２４の間に位置する画像読取装置１５０によって読み取られる。画像読取装置１５０は、コンタクトガラス１２４上の原稿Ｄを照明する照明装置１２６、第１ミラー１６１、第２ミラー１７１、第３ミラー１７２からからなる反射光学系１２９、を備える。また画像読取装置１５０は原稿画像を結像する結像光学系１２７、原稿画像を結像させる電荷結合素子（ＣＣＤ）からなる光電変換素子１２８を有している。画像読取装置１５０の詳細な構成については後述する。
【００１７】
画像読取装置１５０での画像読み取り終了後、原稿Ｄを原稿搬送ベルト１２３の回転で矢印Ｂ２方向へ搬送して原稿排紙トレイ１１４上へ排出する。このように、原稿Ｄを１枚ずつコンタクトガラス１２４上へ移送された原稿画像を画像読取ユニット１１１によって読み取る。
【００１８】
一方、画像形成部１１２の内部には、画像形成手段として像担持体である感光体１３０が配置してある。感光体１３０は、図において時計方向に回転駆動し、帯電装置１３１によって表面を所定の電位に帯電させる。また、書き込みユニット１３２からは、画像読取装置１５０で読み取った画像情報に応じて光変調したレーザーＬを照射し、帯電させた感光体１３０の表面をレーザーＬで露光し、これによって感光体１３０の表面に静電潜像を形成する。この静電潜像は、現像装置１３３を通るとき、対向する転写装置１３４によって感光体１３０と転写装置１３４の間に搬送された用紙Ｐに転写する。トナー像転写後の感光体１３０の表面は、クリーニング装置１３５によって清掃する。
【００１９】
画像形成部１１２の下部に配置した複数の給紙カセット１１５、１１６、１１７、１１８には、記録媒体である用紙Ｐが収容してある。いずれかの給紙カセット１１５、１１６、１１７、１１８から用紙Ｐを矢印Ｂ３方向へ送り出し、用紙Ｐの表面に、上述のように感光体１３０の表面に形成したトナー像を転写する。次に、用紙Ｐを矢印Ｂ４で示すように画像形成部１１２内の定着装置１４０を通し、熱と圧力の作用によって用紙Ｐの表面に転写されたトナー像を定着させる。１３６を通った用紙Ｐを排出ローラ対１３７によって搬送し、矢印Ｂ５で示すように排紙トレイ１２０へ排出し、蓄積する。
【００２０】
次に本発明に係る画像読取装置の実施形態に係る画像読取装置について説明する。図２は本発明に係る画像読取装置の実施形態に係る画像読取装置の概略構成を示す断面図である。画像読取装置１５０は、原稿Ｄを配置した原稿台１５１と、自動原稿搬送装置１１３と、照明装置１２６および第１ミラー１６１を配置した第１走行体１６０と、第２ミラー１７１および第３ミラー１７２を配置した第２走行体１７０とを備える。また画像読取装置１５０は、結像レンズからなる結像光学系１２７と、光電変換素子１２８とを備えている。第１ミラー１６１、第２ミラー１７１、第３ミラー１７２は反射光学系１２９を構成する。
【００２１】
画像読取装置１５０は、フラットベッド読み取りとシートスルー読み取りとの２通りの読み取りができる。フラットベッド読み取りで原稿Ｄを読み取るとき、原稿台１５１上に置かれた原稿Ｄの直下を照明装置１２６で光を原稿Ｄに照射しながら第１走行体１６０と、第２走行体１７０とを原稿Ｄに沿って走査させる。原稿Ｄからの反射光は、第１ミラー１６１、第２ミラー１７１、第３ミラー１７２で反射され、結像光学系１２７により光電変換素子１２８上結像が結ばれる
【００２２】
一方、シートスルー読み取りを行うとき、自動原稿搬送装置１１３で搬送される原稿Ｄにホームポジションに待機している第１走行体１６０上の照明装置１２６により光を照射する。その後における原稿Ｄからの反射光の経路はフラットベッド読み取り時と同一経路で光電変換素子１２８上原稿情像を結ばせる
【００２３】
画像読取装置１５０には、空気ダクト１８０を備える。実施形態に係る画像読取装置１５０では、空気ダクト１８０は、図２に示すように、画像読取装置１５０の下面側に配置される。この例では画像形成装置１００本体の書込装置１９０等を冷却するための冷却ファン１９２からの気流を伝達する本体気流用ダクト１９１から気流を分岐させて空気ダクト１８０へ取り込むことができる。本体気流用ダクト１９１は画像読取装置１５０の直下に配置されている。これにより、システム気流の効率化、および低コスト化を図ることができる。
【００２４】
空気ダクト１８０は、第１走行体１６０と第２走行体１７０とがホームポジションにとどまっているとき、第１走行体１６０方向と、および第２走行体１７０方向の２方向に空気を噴射する第１排気口１８１および第２排気口１８２を備える。空気ダクト１８０の内部には、シャッター１８３が設けられている。
【００２５】
シャッター１８３は、図示しないモード切替手段で、空気ダクト１８０からの空気流の風圧、風量および噴射方向を変更する。これにより「冷却モード」、「第１ミラー清掃モード」、「第２ミラーおよび第３ミラー清掃モード」のうちのいずれかのモードを選択可能とする。
【００２６】
図３は図２に示した画像読取装置の「冷却モード」での空気流を示す模式図である。シャッター１８３は冷却モードのとき、第１排気口１８１および第２排気口１８２の中央位置、すなわち第１状態とする。これにより、本体気流用ダクト１９１から空気ダクト１８０へ取り込まれた空気は、シャッター１８３の位置により開放されている第１排気口１８１、第２排気口１８２の両方から噴出する。「冷却モード」は、主にシートスルー読み取り時の照明装置１２６の周りおよび原稿台１５１の周りを冷却することができる。
【００２７】
第１排気口１８１、第２排気口１８２から吹き出された空気流は図３に矢印で示したように流れる。すなわち、第１排気口１８１から吹き出された空気流は主に照明装置１２６を冷却する。また第２排気口１８２から吹き出された空気流は主にコンタクトガラス１２４、原稿搬送用ベルト１１３ａにより送り出される原稿Ｄ用のガイド板１５１ａ、および原稿スケール１５１ｂを冷却する。また、この空気流は、原稿台１５１の周辺を冷却することにより、その真上に位置する自動原稿搬送装置１１３の原稿搬送用ベルト１１３ａ周りの冷却をして温度上昇を防止する。
【００２８】
図４は図２に示した画像読取装置の「第１ミラー清掃モード」での空気流を示す模式図である。このモードでは、第１ミラー１６１に空気流を吹きつけ清掃モードを実現する。「第１ミラー清掃モード」では、シャッター１８３は、第２排気口１８２をふさぐ２状態とされ、空気流は第１排気口１８１だけから噴出する。この状態で第１排気口１８１から吹き出す空気の風圧、および風量は、図３に示した「冷却モード」に第１排気口１８１から吹き出す空気の風圧および風量の約２倍となる。このような強い風圧および風量で第１ミラー１６１に付着した塵埃を効果的に除去する。
【００２９】
図５は図２に示した画像読取装置の「第２ミラーおよび第３ミラー清掃モード」での空気流を示す模式図である。このモードでは、第２ミラー１７１、第３ミラー１７２に空気流を吹きつけ清掃を行う。図５に示すように、シャッター１８３が第３状態となり、第１排気口１８１をふさぐ第３状態とされ、空気流は第２排気口１８２だけから噴出する。このとき第２排気口１８２から噴出する空気流は、第１ミラー清掃モード時とほぼ同じ風圧、風量である。これにより、第２ミラー１７１、第３ミラー１７２に付着した塵埃を効果的に除去する。
【００３０】
次にシャッター１８３の駆動について説明する。図６は図２に示した画像読取装置のダクト内に配置されたシャッターの例を示す断面図である。カム１８４は、モーター１９３で回転駆動され、モーター突き当て板１８５はバネ１８６で突き当て板１８５をカム１８４側に押し付けている。モーター１９３をモード切替手段１９４で回転駆動制御することにより、シャッター１８３の位置を冷却モード位置（図６（ａ））、第１ミラー清掃モード位置（図６（ｂ））、第２ミラーおよび第３ミラー清掃モード位置の３箇所に設定できる。
【００３１】
図５（ａ）は「冷却モード」の状態を示している。シャッター１８３は、カム１８４で第１排気口１８１および第２排気口１８２をふさがない央位置に配置される。図５（ｂ）は「第１ミラー清掃モード」の状態を示している。カム１８４を回転させて、シャッター１８３で第１排気口１８１をふさぐ位置に移動させる。図５（ｃ）は「第２ミラーおよび第３ミラー清掃モード」の状態を示している。カム１８４を回転させてシャッター１８３で第１排気口１８１をふさぐ位置に移動させる。
【００３２】
なお、空気ダクト１８０に配置するシャッターは他の構成とすることができる。図７および図８は図２に示した画像読取装置のダクト内に配置されたシャッターの他の例を示す断面図である。図７に示した例では、シャッター１８１Ａを軸１８１ｂで回動駆動可能に取り付け、シャッター１８１Ａの位置を変更することによりモードを切り替える。図７中シャッターを１８１Ａ（ａ）で示す第１状態として「冷却モード」に、１８１Ａ（ｂ）で示す第２状態として「第１ミラー清掃モード」に、１８１Ａ（ｃ）で示す第３状態として「第２ミラーおよび第３ミラー清掃モード」に設定する。
【００３３】
図８に示した例では、シャッター１８３Ｂの先端にラック１８７を設置し、このラック１８７にウォームギア１８８をかみ合わせ、ウォームギア１８８をモータ等の回転駆動手段にて回転させる。これにより、シャッター１８３の位置を第１状態として、「冷却モード」、第２状態として「第１ミラー清掃モード」、および台３位置として「第２ミラーおよび第３ミラー清掃モード」の３つのモードとする。
【００３４】
図９は図２の画像読取装置に備えるダクト用気流取り込み部の構成を示す模式図である。この例は、本体気流用ダクト１９１からの気流取り込みができない場合に適用する。図９に記したように、空気ダクト１８０に直接ファン１８９を接続して空気流を得る。
【００３５】
次に制御手段によるシャッター１８３の切り替えタイミングについて説明する。図１０は図２の画像読取装置の動作を示すフローチャートである。画像読取装置１５０がＯＦＦ状態時にシャッター１８３は第１状態であり「冷却モード」となっている（ステップＳ１）。そして、画像読取装置１５０の起動時は、起動時の各イニシャライズ動作を確認し（ステップＳ２）、する。そして「冷却モード」（ステップＳ３）、「第１ミラー清掃モード」（ステップＳ４）、「第２ミラーおよび第３ミラー清掃モード」（ステップＳ５）の順にシャッター１８３を駆動する。これにより、画像読取装置１５０起動時に必ず第１ミラー１６１、第２ミラー１７１、第３ミラー１７２の清掃を実施でき、常に筋等の無な良好な画像読取動作を実現する。
【００３６】
そして、画像読取装置１５０の各ミラー清掃（ステップＳ３、Ｓ４、Ｓ４）の後、シャッター１８３を第１状態に戻し「冷却モード」とする（ステップＳ５）。シャッター１８３を常時第１状態として「冷却モード」にすることにより、シートスルー読み取り時の照明装置１２６および原稿台１５１の周周辺材を冷却することができる。
【００３７】
さらに、画像読み取りに際しては、画像異常検出手段で、光電変換後の画像を常に監視し（ステップＳ６）、黒筋の異常信号を検出したとき、異常信号を発生する。そして、異常を検出したジョブ終了後に以下の手順で塵埃を除去する。すなわち、「冷却モード」（ステップＳ３）、「第１ミラー清掃モード」（ステップＳ４）、「第２ミラーおよび第３ミラー清掃モード」（ステップＳ５）の順にシャッター１８３の状態を変更する。これにより、第１ミラー１６１、第２ミラー１７１、第３ミラー１７２に画像読取装置１５０が稼働中ときでも常に各ミラーに付着した塵埃を除去できるようにする。よって、筋等の異常画像がない良好な画像読取動作をすることができる。
【００３８】
なお、製造工程やサービスマンが画像読取装置の検査やメンテナンスを行ってミラーに付着した塵埃を発見した場合、スイッチ等で外部からモード設定手段を操作してシャッター位置を指定した任意の状態とする「サービスモード」を設定することができる。「サービスモード」では、画像読取装置を開けることなく、任意のミラーのみの塵埃を除去することができる。
【符号の説明】
【００３９】
１００：画像形成装置
１１１：画像読取ユニット
１１２：画像形成部
１１３：自動原稿搬送装置
１１３ａ：原稿搬送用ベルト
１１４：原稿排紙トレイ
１１５、１１６、１１７、１１８：給紙カセット
１１９：給紙部
１２０：排紙トレイ
１２１：原稿トレイ
１２２：ピックアップローラ
１２３：原稿搬送ベルト
１２４：コンタクトガラス
１２６：照明装置
１２７：結像光学系
１２８：光電変換素子
１２９：反射光学系
１３０：感光体
１３１：帯電装置
１３２：ユニット
１３３：現像装置
１３４：転写装置
１３５：クリーニング装置
１３７：排出ローラ対
１４０：定着装置
１５０：画像読取装置
１５１：原稿台
１５１ａ：ガイド板
１５１ｂ：原稿スケール
１６０：第１走行体
１６１：第１ミラー
１７０：第２走行体
１７１：第２ミラー
１７２：第３ミラー
１８０：空気ダクト
１８１：第１排気口
１８１Ａ：シャッター
１８１ｂ：軸
１８２：第２排気口
１８３：シャッター
１８３Ｂ：シャッター
１８４：カム
１８５：突き当て板
１８６：バネ
１８７：ラック
１８８：ウォームギア
１８９：直接ファン
１９０：書込装置
１９１：本体気流用ダクト
１９２：冷却ファン
１９３：モーター
１９４：モード切替手段
【先行技術文献】
【特許文献】
【００４０】
【特許文献１】特開平８−３２８１６１
【図１】
2014206594.tif 000003
【図２】
2014206594.tif 000004
【図３】
2014206594.tif 000005
【図４】
2014206594.tif 000006
【図５】
2014206594.tif 000007
【図６】
2014206594.tif 000008
【図７】
2014206594.tif 000009
【図８】
2014206594.tif 000010
【図９】
2014206594.tif 000011
【図１０】
2014206594.tif 000012